(57)【要約】【課題】従来の畜光処理を施した写真スタンドは、画像を変えて楽しむ場合には高価な畜光処理を施した板ごと変えなければならず不経済であるという欠点があった。さらに時間の経過と共に畜光処理を施した板から放出される光が減ってしまい、ついには見えなくなってしまうという欠点があった。【解決手段】画像が施された透明フィルムと、その背面に配置された畜光処理を施した背面板から構成される写真スタンドとするという手段を用いている。また背面板に畜積するための光を照射することのできるライトを備える、さらにそのライトの電源を繰り返し入り、切りすることのできるタイマーを備えるという手段を用いている。【選択図】        図１
2004329465.tif 000002
【特許請求の範囲】
【請求項１】
画像が画かれた透明フィルムと、その背面に配置された畜光処理を施した背面板から構成される写真スタンド。
【請求項２】
畜光処理を施した背面板と、透明フィルムを背面板に脱着可能でさらに密着状態に保持することができる透明板から構成される写真スタンド。
【請求項３】
背面板に畜積するための光を照射することのできるライトを備えた請求項１記載あるいは項２記載の写真スタンド。
【請求項４】
背面板に畜積するための光を照射することのできるライトと、そのライトの電源を繰り返し入り、切りすることのできるタイマーを備えた請求項１記載あるいは項２記載の写真スタンド。
【発明の詳細な説明】
【０００１】
【発明が属する技術分野】
本発明は写真や絵画といったいわゆる画像を印刷等の方法により画かれた透明フイルムを収納し、壁に掛ける、あるいは卓上におくことのできる写真スタンドで、なかでも背面板に畜光処理を施した写真スタンドに関するものである。
【０００２】
【従来の技術】
従来の畜光処理を施した写真スタンドは、畜光処理を施した板に直接写真あるいは絵画といったいわゆる画像が印刷等により画かれていた。そしてその畜光処理を施した写真スタンドは日中の光、あるいは人工照明による光を蓄積して、画像の背面の畜光処理を施した板からその畜積された光を徐々に放出することにより、光の暗いところでも写真あるいは絵画を楽しむことができるものである。
【０００３】
【発明が解決しようとする課題】
このように構成された従来の畜光処理を施した写真スタンドは、畜光処理を施した板に直接写真あるいは絵画といったいわゆる画像が印刷等により画かれているので、画像を変えて楽しむ場合には高価な畜光処理を施した板ごと変えなければならず不経済であるという欠点があった。
また畜積された光は徐々に放出してしまうので、時間の経過と共に畜光処理を施した板から放出される光が減ってしまい、それによって画像も暗くなり、ついには見えなくなってしまうという欠点があった。
【０００４】
本発明は以上のような従来の欠点に鑑み、畜光処理を施した写真スタンドで画像を変えて楽しむ場合にも高価な畜光処理を施した板ごと変える必要がない畜光処理を施した写真スタンドを提供することを目的としている。
さらに時間の経過と共に畜光処理を施した板から放出される光が減ってしまい、ついには見えなくなってしまうということのない畜光処理を施した写真スタンドを提供することを目的としている。
【０００５】
【課題を解決するための手段】
上記課題を解決するため、本発明は画像が施された透明フィルムと、その背面に配置された畜光処理を施した背面板から構成される写真スタンドとするという手段を用いている。
また背面板に畜積するための光を照射することのできるライトを備えた写真スタンドとするという手段を用いている。
あるいは背面板に畜積するための光を照射することのできるライトと、そのライトの電源を繰り返し入り、切りすることのできるタイマーを備えた写真スタンドとするという手段を用いている。
【０００６】
【発明の実施の形態】
畜光処理を施した写真スタンドの写真あるいは絵画といったいわゆる画像を変えて楽しむ、という目的を画像が施された透明フィルムと、その背面に配置された畜光処理を施した背面板から構成される写真スタンドとするという手段で実現した。
さらに時間が経過しても画像が見えなくなってしまことがないという目的を、背面板に畜積するための光を照射することのできるライトを備えたという手段で実現した。
【０００７】
【実施例】
以下、図面に示す実施例により本発明を詳細に説明する。
図１ないし図２に示す発明の第１の実施例において、１は画像が画かれた透明フィルムで、この透明フィルム１には写真や絵画といったいわゆる画像が印刷等の方法により画かれている。
【０００８】
２は前記透明フィルム１の背面に配置された少なくとも前面に畜光処理を施した背面板で、この背面板２の畜光処理する方法としては、板に畜光材を塗布または印刷する方法、あるいはゴム、プラスチック材に畜光材を練り込ませて板状に成型する方法、畜光材が印刷されたフィルムを板に貼り付ける方法等が使用される。この背面板２は若干の模様が画かれているものでも良いが、基本的には無模様なものが使用される。
【０００９】
３は前記透明フィルム１の前面を覆い、透明フィルム１と背面板２を脱着可能でさらに密着状態に保持することができる前板で、この前板３は透明フィルム１の前面を保護する硝子、アクリル等の透明板４と装飾枠５とから構成されるいわゆる額縁である。なお、この透明板４は必ずしも必要なものではない。
【００１０】
このように構成された写真スタンド６は壁に掛ける、あるいは卓上におくことができ、日中の光、あるいは人工照明による光を蓄積して、その畜積された光を徐々に放出することにより、暗いところでも画像を楽しむことができる。さらに画像を変えて楽しむ場合にも前板３から透明フィルム１および背面板２を外し、透明フィルム１を交換するだけでよい。
【００１１】
【発明の異なる実施例】
次に本発明の異なる実施例につき説明する。なお、これらの説明にあたって前記発明の第１の実施例と同一構成部分には同一符号を付して重複する説明を省略する。
【００１２】
図３ないし図４に示す発明の第２の実施例において、前記発明の第１の実施例と主に異なる点は前板３Ａで、この前板３Ａは透明板４Ａだけで構成され、透明板４と背面板２Ａをネジ１２で取り付けるものであり、このネジ１２によって透明フィルム１を背面板２Ａに脱着可能でさらに密着状態に保持することができるように構成されている。このように構成された写真スタンド６Ａとしてもよい。
【００１３】
図５ないし図６に示す発明の第３の実施例において、前記発明の第１の実施例と主に異なる点は背面板２に畜積するための光を照射することのできるライト７を備えた写真スタンド６Ｂとした点で、このライト７はライト本体８と発光体９と電源１０とから構成される通常のライトである。
【００１４】
このようにした写真スタンド６Ｂは背面板２に蓄積された光が無くなった場合でも、ライト７の発光体９を所定時間発光させることにより背面板２に光を蓄積することができる。この発光体９は通常の可視光線を照射する物でも良いが、紫外線を主に照射する一般にブラックライトと呼ばれる発光体を使用するとより効果的である。また電源１０は図の説明ではライト本体８に内蔵するバッテリーとしてあるが、家庭用１００Ｖ電源を使用したものであっても良い。
【００１５】
図７ないし図８に示す発明の第４の実施例において、前記発明の第３の実施例と主に異なる点はライト７の電源を繰り返し入り、切りすることのできるタイマー１１を備えた写真スタンド６Ｃとした点で、このタイマー１１の作用により図８に示すように電源入りでライト７を照射する時間（セット時間Ａ）と、電源切りでライト７を照射しない時間（セット時間Ｂ）を連続して繰り返すことができる。
【００１６】
このようにして電源入りでライト７を照射している間に背面板２に光を蓄積し、電源切りでライト７を照射しない間は背面板２の光を利用することを繰り返すことで長時間画像を楽しむことができ、効率よく背面板２に光を蓄積することができるので電気代を節約することができる。またこのタイマー１１の電源入りのセット時間（セット時間Ａ）と電源切りのセット時間（セット時間Ｂ）はダイアル１３などの操作によりそれぞれ可変調整できるようにしておくことが望ましい。
【００１７】
【発明の効果】
本発明は以上説明したように構成されているので、以下に記載されるような効果を奏する。
【００１８】
（１）写真あるいは絵画といったいわゆる画像が透明フィルム印刷等により画かれているので、画像を変えて楽しむ場合には透明フィルムだけ交換すれば良く、高価な畜光処理を施した背面板が無駄にならない。
【００１９】
（２）請求項３では、畜積された光は徐々に放出してしまうので、時間の経過と共に畜光処理を施した板から放出される光が減ってしまうが、背面板に畜光するための光を照射することのできるライトを備えたので、ライトの発光体を所定時間発光させることにより背面板に光を蓄積することができる。それによって再度画像を楽しむことができる。
【００２０】
（３）請求項４ではライトの電源を繰り返し入り、切りすることのできるタイマーを備えたので、電源入りでライトを照射している間に背面板に光を蓄積し、電源切りでライトを照射しない間は背面板の光を利用することで長時間画像を楽しむことができるので電気代を節約することができる。
【図面の簡単な説明】
【図１】発明の斜視図である。（実施例１）
【図２】発明の斜視図である。（実施例１）
【図３】発明の斜視図である。（実施例２）
【図４】発明の斜視図である。（実施例２）
【図５】発明の斜視図である。（実施例３）
【図６】発明の斜視図である。（実施例３）
【図７】発明の斜視図である。（実施例４）
【図８】発明の電源入り、電源切りを表す図である。（実施例４）
【符号の説明】
１    透明フィルム
２、２Ａ    背面板
３、３Ａ    前板
４、４Ａ    透明板
５    装飾枠
６、６Ａ、６Ｂ、６Ｃ    写真スタンド
７    ライト
８    ライト本体
９    発光体
１０  電源
１１  タイマー
１２  ネジ
１３  ダイアル
【図１】
2004329465.tif 000003
【図２】
2004329465.tif 000004
【図３】
2004329465.tif 000005
【図４】
2004329465.tif 000006
【図５】
2004329465.tif 000007
【図６】
2004329465.tif 000008
【図７】
2004329465.tif 000009
【図８】
2004329465.tif 000010